(57)【要約】      （修正有）【課題】目地部の端部の近傍に柱や壁面等の障害物がある左右の床躯体間に、地震で目地部が広くなったり、狭くなるような揺れ動きが生じても、危険な状態になるのを阻止できる床用目地装置を提供する。【解決手段】目地部２の端部の近傍に障害物３を有する左右の床躯体４と、床躯体４の上面に固定された左右の固定支持部材５の目地部側の端部より先端部が、目地部２の中央部へ常時突出するように設けられた左右の可動支持部材６を有する左右の支持部材と、左右の固定支持部材５に支持され、下部先端が前記目地部側へ突出する傾斜面８に形成された左右の固定目地プレート９と、固定目地プレート９の傾斜面８と接触するように配置される中央目地プレート１０と、中央目地プレート１０の中央底面に上下移動できるように取付けられた少なくとも２個の中央維持機構１１と、左右の可動支持部材６が必要以上に突出するのを阻止する左右のストッパ１２とで構成する。【選択図】図２
2014169531.tif 000002
【特許請求の範囲】
【請求項１】
目地部を介して設けられた、該目地部の端部より目地部の幅寸法の２分の１近傍に障害物を有する左右の床躯体と、この左右の床躯体の上面に固定された左右の固定支持部材、この左右の固定支持部材の前記目地部側の端部より先端部が、該目地部の中央部へ常時突出するように設けられた左右の可動支持部材を有する左右の支持部材と、この左右の支持部材の左右の固定支持部材に支持され、下部先端が前記目地部側へ突出する傾斜面に形成された左右の固定目地プレートと、この左右の固定目地プレートの傾斜面と接触するように配置され、地震で目地部が狭くなると上方へ押し上げられる中央目地プレートと、この中央目地プレートの中央底面に上下移動できるように取付けられた、該中央目地プレートの中央部を、地震で目地部が広くなったり、狭くなっても目地部の中央部に位置させることができる少なくとも２個の中央維持機構と、前記左右の支持部材の左右の可動支持部材が前記左右の固定支持部材より必要以上に突出するのを阻止する左右のストッパーとからなることを特徴とする床用目地装置。
【発明の詳細な説明】
【技術分野】
【０００１】
本発明は目地部の端部より目地部の幅寸法の２分の１近傍に柱や壁面の障害物を有する左右の床躯体間を覆う床用目地装置に関する。
【背景技術】
【０００２】
従来の床用目地装置は目地部の両端部に目地部の幅寸法と同じ幅寸法のスペースがないと設置することができなかった。
【０００３】
このため、左右の床躯体間の目地部の幅寸法を小さく設定するため、地震での大きな揺れ動きを吸収することができなかった。
【先行技術文献】
【特許文献】
【０００４】
【特許文献１】特許第４７６４８０５号公報
【発明の概要】
【発明が解決しようとする課題】
【０００５】
本発明は以上のような従来の欠点に鑑み、目地部の端部の近傍に柱や壁面等の障害物があるような左右の床躯体間に、地震で目地部が広くなったり、狭くなるような揺れ動きが生じても、障害物を損傷させたり、損傷することなくその揺れ動きを吸収し、かつ目地部が開口して危険な状態になったりするのを阻止することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた、該目地部の端部より目地部の幅寸法の２分の１近傍に障害物を有する左右の床躯体と、この左右の床躯体の上面に固定された左右の固定支持部材、この左右の固定支持部材の前記目地部側の端部より先端部が、該目地部の中央部へ常時突出するように設けられた左右の可動支持部材を有する左右の支持部材と、この左右の支持部材の左右の固定支持部材に支持され、下部先端が前記目地部側へ突出する傾斜面に形成された左右の固定目地プレートと、この左右の固定目地プレートの傾斜面と接触するように配置され、地震で目地部が狭くなると上方へ押し上げられる中央目地プレートと、この中央目地プレートの中央底面に上下移動できるように取付けられた、該中央目地プレートの中央部を、地震で目地部が広くなったり、狭くなっても目地部の中央部に位置させることができる少なくとも２個の中央維持機構と、前記左右の支持部材の左右の可動支持部材が前記左右の固定支持部材より必要以上に突出するのを阻止する左右のストッパーとで床用目地装置を構成している。
【発明の効果】
【０００８】
以上の説明から明らかなように、本発明にあっては次に列挙する効果が得られる。
（１）請求項１により、中央維持機構によって中央目地プレートの中央部を常時目地部の中央部に位置させることができるので、目地部の端部より目地部の幅寸法が２分の１近傍に障害物があっても、中央目地プレートの両端部が障害物に衝突することなく、地震による揺れ動きを吸収することができる。    
（２）前記（１）によって、目地部が地震で広くなった場合、中央目地プレートと左右の固定目地プレートの間に左右の支持部材の左右の可動支持部材が位置して、隙間が生じるのを確実に防止することができる。
したがって、安全に使用することができる。
（３）前記（１） により、左右の床躯体の障害物間の寸法の２分の１の目地部を形成してもよく、左右の床躯体の大きな揺れ動きを設定することができる。
【図面の簡単な説明】
【０００９】
【図１】本発明を実施するための第１の形態の平面図。
【図２】図１の２−２線に沿う断面図。
【図３】本発明を実施するための第１の形態の中央目地プレートを外した状態の平面図。
【図４】本発明を実施するための第１の形態の左右の支持部材の説明図。
【図５】本発明を実施するための第１の形態の左右の固定目地プレートの説明図。
【図６】本発明を実施するための第１の形態の中央目地プレートの説明図。
【図７】本発明を実施するための第１の形態の中央維持機構の説明図。
【図８】本発明を実施するための第１の形態の地震で目地部が広くなった状態の平面図。
【図９】図８の９−９線に沿う断面図。
【図１０】本発明を実施するための第１の形態の地震で目地部が狭くなった状態の平面図。
【図１１】図１０の１１−１１線に沿う断面図。
【図１２】本発明を実施するための第２の形態の平面図。
【図１３】図１２の１３−１３線に沿う断面図。
【図１４】本発明を実施するための第２の形態の中央目地プレートを外した状態の平面図。
【図１５】本発明を実施するための第３の形態の平面図。
【図１６】図１５の１６−１６線に沿う断面図。
【図１７】本発明を実施するための第３の形態の左右の支持部材の説明図。
【発明を実施するための形態】
【００１０】
以下、図面に示す本発明を実施するための形態により、本発明を詳細に説明する。
【００１１】
図１ないし図１１に示す本発明を実施するための第１の形態において、１は目地部２を介して設けられた、該目地部２の端部より目地部２の幅寸法Ｌの２分の１近傍に柱や壁面の障害物３、３を有する左右の床躯体４、４間を覆う本発明の床用目地装置で、この床用目地装置１は前記左右の床躯体４、４の上面に固定された左右の固定支持部材５、５、この左右の固定支持部材５、５の前記目地部側の端部より先端部が、該目地部２の中央部へ常時突出するように設けられた左右の可動支持部材６、６を有する左右の支持部材７、７と、この左右の支持部材７、７の左右の固定部材５、５に支持され、下部先端が前記目地部側へ突出する傾斜面８、８に形成された左右の固定目地プレート９、９と、この左右の固定目地プレート９、９の傾斜面８、８と接触するように配置され、地震で目地部２が狭くなると上方へ押し上げられる中央目地プレート１０と、この中央目地プレート１０の中央底面に上下移動できるように取付けられた、該中央目地プレート１０の中央部を、地震で目地部２が広くなったり、狭くなっても目地部２の中央部に位置させることができる少なくとも２個の中央維持機構１１、１１と、前記左右の支持部材７、７の左右の可動支持部材６、６が前記左右の固定支持部材５、５より必要以上突出するのを阻止する左右のストッパー１２、１２としてのワイヤーとで構成されている。
【００１２】
前記左右の支持部材７、７は図４示すように左右の固定支持部材５、５として多数個の四角形状の筒部材１３を並列固定されたものが使用され、左右の可動支持部材６、６は前記左右の固定支持部材５、５内をそれぞれスライド移動できる四角形状の筒、あるいはリップミゾ形鋼形状の筒部材１４が使用され、該左右の可動支持部材６、６を常時突出できるように前記左右の固定支持部材５、５内に収納された付勢スプリング１５、１５で付勢されている。
【００１３】
前記左右の固定目地プレート９、９は、図５に示すように浅皿状で、先端部が傾斜面８に形成された金属材製の固定目地プレート本体１６と、この固定目地プレート本体１６内に充填されたモルタルやコンクリート１７と、このモルタルやコンクリート１７の上部に設置された石材やタイル等の床化粧板１８とで構成されている。
【００１４】
前記中央目地プレート１０は図６に示すように、両端部に前記左右の固定目地プレート９、９の傾斜面８、８と面接触する傾斜面１９、１９が形成された浅皿状の金属材製の中央目地プレート本体２０と、この中央目地プレート本体２０内に充填されたモルタルやコンクリート１７と、このモルタルやコンクリート１７の上部に設置された石材やタイル等の床化粧板１８とで構成されている。
【００１５】
前記中央維持機構１１、１１は四角枠形状のリンク部材２１と、このリンク部材２１の対向する部位の枢支ピン２２、２２に枢支された前記左右の床躯体４、４の目地部側部に複数本のタッピングビス２３で取付けられる取付け金具２４、２４と、前記リンク部材２１の対向するバー部材２１ａ、２１ａの中央部に枢支ピン２５、２５で両端部が取付けられた中央バー部材２６と、この中央バー部材２６の中央部に下端部が溶接等で固定され、上部が前記左右の支持部材７、７に支持された中央目地プレート１０の底面近傍に位置する中央パイプ材２７と、この中央パイプ材２７にスライド移動可能に挿入される前記中央目地プレート１０の底面中央部に固定されたスライド軸２８とで構成されている。
【００１６】
上記構成の床用目地装置１は、通常時には左右の床躯体４、４の障害物３、３間は左右の支持部材７、７、左右の固定目地プレート９、９、中央目地プレート１０で覆われた、図１および図２に示す状態となっている。  
【００１７】
地震で目地部２が広くなるように左右の床躯体４、４が揺れ動くと、図８および図９に示すように中央目地プレート１０の中央部は中央維持機構１１、１１によって、目地部２の中央部に位置された状態で左右の床躯体４、４および左右の支持部材７、７の左右の固定支持部材５、５が左右方向に移動するが、左右の可動支持部材６、６は中央目地プレート１０を支持された状態となる。
【００１８】
このため、目地部２は左右の支持部材７、７の左右の可動支持部材６、６および中央目地プレート１０で覆われた状態を保っている。
【００１９】
地震で目地部２が狭くなるように左右の床躯体４、４が揺れ動くと、図１０および図１１に示すように左右の固定目地プレート９、９の内側方向へ移動することによって、中央目地プレート１０の中央部が目地部２の中央部に中央維持機構１１、１１で維持されながら上方へ移動し、その揺れ動きを吸収する。
なお、地震での揺れ動きが停止すると、自動的に元の状態へ戻る。
【００２０】
[発明を実施するための異なる形態]
次に、図１２ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１２ないし図１４に示す本発明を実施するための第２の形態において、前記本発明を実施するための第１の形態と主に異なる点は、四角枠形状が２個となるパンタグラフ形状の中央維持機構１１Ａ、１１Ａを用いた点で、このような中央維持機構１１Ａ、１１Ａを用いて構成した床用目地装置１Ａにしても、前記本発明を実施するための第１の形態と同様な作用効果が得られる。
【００２２】
図１５ないし図１７に示す本発明を実施するための第３の形態において、前記本発明を実施するための第１の形態と主に異なる点は、左右の固定目地プレート９、９の寸法と同じ寸法の長方形状筒状の左右の固定支持部材５Ａ、５Ａと、この左右の固定支持部材５Ａ、５Ａ内に後端部がスライド移動可能に収納される長方形状筒状の左右の可動支持部材６Ａ、６Ａと、この左右の可動支持部材６Ａ、６Ａの底面に左右方向に形成された長孔２９、２９、２９、２９と、この長孔２９、２９、２９、２９内へ挿入される、前記左右の固定支持部材５Ａ、５Ａの先端部に形成されたストッパー片３０、３０、３０、３０と、前記左右の固定支持部材５Ａ、５Ａ内に収納され、前記左右の可動支持部材６Ａ、６Ａを外方へ常時突出するように付勢する付勢スプリング３１、３１を用いた左右の支持部材７Ａ、７Ａを用いた点で、このような左右の支持部材７Ａ、７Ａを用いて構成した床用目地装置１Ｂにしても、前記本発明を実施するための第１の形態と同様な作用効果が得られる。
【産業上の利用可能性】
【００２３】
本発明は目地部の端部より目地部の幅寸法の２分の１近傍に柱や壁面等の障害物を有する左右の床躯体間を覆う床用目地装置を製造する産業で利用される。
【符号の説明】
【００２４】
１、１Ａ、１Ｂ：床用目地装置、２：目地部、  
Ｌ：目地部の幅寸法、    ３：障害物、    
４：床躯体、        ５、５Ａ：固定支持部材、
６、６Ａ：可動支持部材、    ７、７Ａ：支持部材、
８：傾斜面、        ９：固定目地プレート、
１０：中央目地プレート、    １１、１１Ａ：中央維持機構、
１２：ストッパー、      １３：筒部材、
１４：筒部材、      １５：付勢スプリング、
１６：固定目地プレート本体、  １７：モルタルやコンクリート、
１８：床化粧板、      １９：傾斜面、
２０：中央目地プレート本体、  ２１：リンク部材、
２２：枢支ピン、      ２３：タッピングビス、
２４：取付け金具、      ２５：枢支ピン、
２６：中央バー部材、    ２７：中央パイプ材、
２８：スライド軸、      ２９：長孔、
３０：ストッパー片、    ３１：：付勢スプリング。
【図１】
2014169531.tif 000003
【図２】
2014169531.tif 000004
【図３】
2014169531.tif 000005
【図４】
2014169531.tif 000006
【図５】
2014169531.tif 000007
【図６】
2014169531.tif 000008
【図７】
2014169531.tif 000009
【図８】
2014169531.tif 000010
【図９】
2014169531.tif 000011
【図１０】
2014169531.tif 000012
【図１１】
2014169531.tif 000013
【図１２】
2014169531.tif 000014
【図１３】
2014169531.tif 000015
【図１４】
2014169531.tif 000016
【図１５】
2014169531.tif 000017
【図１６】
2014169531.tif 000018
【図１７】
2014169531.tif 000019